(57)【要約】【課題】信頼性及び使用性に優れた電気掃除機を提供する。【解決手段】電源コード３を巻取り収納するためのコードリールと、電源コード３の引き出しを行うための開口部５とを備え、前記開口部５の形状が下方幅広でかつ上方に向けて縦長穴を連結させた形状を成す構成としてある。これらより、電源コード３を引き出して行くと前記縦長穴を通るようになるため前記開口部５への電源コード３の接触は軽減され、引き出し力の軽減および電源コード３の信頼性を改善させることができるとともに、前記開口部５が下方幅広形状のため前記電源コード３の巻き込み時には左右に振れさせることにより局所巻き込みによる前記電源コード３の巻き残りも防止できる信頼性の高い電気掃除機を提供することができる。【選択図】図３
2005304675.tif 000002
【特許請求の範囲】
【請求項１】
電源コードを巻取り収納するためのコードリールと、電源コードの引き出しを行うための開口部とを備え、前記開口部は下方幅広でかつ上方に向けて縦長穴を連結した形状を成す電気掃除機。
【請求項２】
電源コードを巻取り収納するためのコードリールと、電源コードの引き出しを行うための開口部とを備え、前記開口部は下方幅広の略三角形状を成す構成とした電気掃除機。
【請求項３】
電源コードを巻取り収納するためのコードリールと、電源コードの引き出しを行うための開口部とを備え、前記開口部は上方幅広でかつ下方に向けて縦長穴を連結した形状を成す電気掃除機。
【請求項４】
電源コードを巻取り収納するためのコードリールと、電源コードの引き出しを行うための開口部とを備え、前記開口部は上方幅広の逆略三角形状を成す構成とした電気掃除機。
【請求項５】
電源コードを巻取り収納するためのコードリールと、電源コードの引き出しを行うための開口部とを備え、前記開口部は上方幅広の穴と下方幅広の穴を縦長穴で連結した形状を成す構成の電気掃除機。
【請求項６】
開口部の略下部にリブを設けた請求項１から５のいずれか１項記載の電気掃除機。
【請求項７】
開口部の略上部にリブを設けた請求項１から５のいずれか１項記載の電気掃除機。
【請求項８】
リブの形状は先端部の幅を小さくした構成の請求項６または７記載の電気掃除機。
【請求項９】
リブの略中央部にくぼみ形状を設けた請求項８記載の電気掃除機。
【発明の詳細な説明】
【技術分野】
【０００１】
本発明は一般家庭で使用される電気掃除機に関するもので、特に使用性及び信頼性を改善する構成に関するものである。
【背景技術】
【０００２】
一般に電気掃除機には、図１８に示すように電源コード９を巻き取り収納するためのコードリール１０を備えており、その電源コード９は本体に設けた開口部１１から引き出し・巻き取り収納するようになっている。そしてその開口部１１は下方幅広の短冊形状で形成されている（例えば、特許文献１参照）。
【特許文献１】特開平９−１２２０５１号公報
【発明の開示】
【発明が解決しようとする課題】
【０００３】
しかしながら上記従来の電気掃除機の構成では、前記電源コード９を引き出してゆくと最終的には図１８に示すように前記開口部１１において前記電源コード９が接触しつづけて、摩擦抵抗が増加することにより前記電源コード９の引き出し力が大きくなって引き出しにくくなるとともに、表面磨耗、断線等前記電源コード９へのダメージが大きくなり、使用性及び信頼性で課題が残っていた。
【０００４】
本発明は上記課題を解決するもので、使用性及び信頼性に優れた電気掃除機を提供することを目的としている。
【課題を解決するための手段】
【０００５】
上記課題を解決するために本発明は、電源コードの引き出しを行うための開口部を下方幅広でかつ上方に向けて縦長穴を連結した形状としてある。この構成により電源コードを引き出して行くにしたがって当該電源コードは前記縦長穴を通るようになるため前記開口部への電源コードの接触は軽減され、引き出し力の軽減および電源コードの信頼性を改善させることができる。
【発明の効果】
【０００６】
本発明は、信頼性及び使用性に優れた電気掃除機を提供することができる。
【発明を実施するための最良の形態】
【０００７】
第１の発明は、電源コードを巻取り収納するためのコードリールと、電源コードの引き出しを行うための開口部とを備え、前記開口部は下方幅広でかつ上方に向けて縦長穴を連結した形状としてあり、電源コードを引き出して行くにしたがって当該電源コードは前記縦長穴を通るようになるため前記開口部への電源コードの接触が軽減され、引き出し力の軽減および電源コードの信頼性を改善させることができる。加えて、下方幅広の開口部のため前記電源コードの巻き込み時には左右に振れさせることにより局所巻き込みによる前記電源コードの巻き残りも防止できる信頼性の高い電気掃除機を提供することができる。
【０００８】
第２の発明は、電源コードを巻取り収納するためのコードリールと、電源コードの引き出しを行うための開口部とを備え、前記開口部は下方幅広の略三角形状を成す構成としてあり、第１の発明と同様引き出し力の軽減および電源コードの信頼性を改善させることができるのに加え、電源コード引き出し時において前記電源コードが上方に移動する際の前記開口部の角部の引っ掛りを防止できるため、引き出し性を改善することができる使用性に優れた電気掃除機を提供することができる。
【０００９】
第３の発明は、電源コードを巻取り収納するためのコードリールと、電源コードの引き出しを行うための開口部とを備え、前記開口部は上方幅広でかつ下方に向けて縦長穴を連結した構成としてあり、電源コードを引き出して行くと当該電源コードは前記縦長穴を上昇しながら上部の幅広部を通るようになるため前記開口部への電源コードの接触は軽減され、引き出し力の軽減および電源コードの信頼性を改善させることができる。加えて、上方幅広の前記開口部のため前記電源コードの引き出し時には左右に振れさせることにより前記開口部の局所磨耗による前記電源コードへのダメージも軽減できる信頼性の高い電気掃除機を提供することができる。
【００１０】
第４の発明は、電源コードを巻取り収納するためのコードリールと、電源コードの引き出しを行うための開口部とを備え、前記開口部は上方幅広の逆略三角形状を成す構成としてあり、第１の発明と同様引き出し力の軽減および電源コードの信頼性を改善させることができるのに加え、電源コード巻き込み時において前記電源コードが下方に移動する際の前記開口部の角部の引っ掛りを防止できるため、巻き込み性を改善することができる使用性に優れた電気掃除機を提供することができる。
【００１１】
第５の発明は、電源コードを巻取り収納するためのコードリールと、電源コードの引き出しを行うための開口部とを備え、前記開口部は上方幅広の穴と下方幅広の穴を縦長穴で連結した形状としてあり、電源コードを引き出して行くと前記縦長穴を通り上方幅広部に移動するため、前記開口部への電源コードの接触は軽減される。また、上方幅広の前記開口部のため前記電源コードの引き出し時には左右に振れさせることにより前記開口部の局所磨耗による前記電源コードへのダメージも軽減できる。
【００１２】
また、下方幅広の形状も有しているため前記電源コードの巻き込み時には左右に振れさせることにより局所巻き込みによる前記電源コードの巻き残りも防止できる信頼性の高い電気掃除機を提供することができる。
【００１３】
第６の発明は、前記開口部の略下部にリブを設けてあり、このリブが前記電源コードのプラグに当たることにより、小さな形状のプラグを有する前記電源コードが前記開口部の中に入り込んで引き出しにくくなるといった問題を解決でき、使用性を改善した電気掃除機を提供することができる。
【００１４】
第７の発明は、前記開口部の略上部にリブを設けてあり、このリブが前記電源コードのプラグに当たることにより、小さな形状のプラグを有する前記電源コードが前記開口部の中に入り込んで引き出しにくくなるといった問題を解決でき、使用性を改善した電気掃除機を提供することができる。
【００１５】
第８の発明は、前記リブの形状は先端部の幅を小さくしてあり、前記電源コード引き出し時にコード表面が前記リブに干渉しにくくなり、前記電源コードにダメージを与えることを軽減させることができるため、信頼性に優れた電気掃除機を提供することができる。
【００１６】
第９の発明は、前記リブの略中央部にくぼみ形状を設けた構成としてあり、前記電源コード引き出し時にコード表面が前記リブに干渉しにくくなり、前記電源コードにダメージを与えることを軽減させることができるとともに、前記電源コード巻き込み時のプラグの安定性を増すことができるため、信頼性、使用性に優れた電気掃除機を提供することができる。
【００１７】
以下、本発明の実施の形態について、図面を参照にしながら説明する。なお、この実施の形態によりこの発明が限定されるものではない。
【００１８】
（実施の形態１）
本発明の第１の実施の形態について図１〜図９を用いて説明する。
【００１９】
図１〜図５において、この電気掃除機は、本体１内に塵埃を吸引するためのファンモーター（図示せず）と、電源コード３を巻取り収納させるためのコードリール４とを内蔵しており、その電源コード３の引出し・巻き取りを行うための開口部５が後面部の下部に設けてある。なお、この開口部５は別部品にて構成しても、同一の効果が得られるものである。そして上記開口部５は図３に示すように下方幅広５ａでかつ上方に向けて縦長穴５ｂを連結した形状としてある。
【００２０】
以上のように構成された電気掃除機についてその動作、作用を説明する。
【００２１】
まず、電気掃除機を運転するためには電源コード３を前記開口部５から引き出して運転し、使用終了時には前記コードリール４により前記電源コード３を巻き取る。
【００２２】
ここで電源コード３を引き出して行くと初期は図２または図３に示すように前記開口部５の下部幅広部５ａを通るが、更に引き出してゆくと、図４のように前記コードリール４の前記電源コード巻き取り部３ａの半径が小さくなるため、電源コード３は前記開口部５の縦長穴部５ｂを通るようになる。そのため前記開口部５への電源コード３の接触は幅広部５ａの上縁への接触が軽減され、引き出し力の軽減および電源コード３の信頼性を改善させることができる。そして、前記開口部５は下方幅広形状のため前記電源コード３の巻き込み時には左右に振れさせることにより局所巻き込みによる前記電源コード３の巻き残りも防止できる信頼性の高い電気掃除機を提供することができる。
【００２３】
図６は開口部５の他の例を示し、この実施形態の開口部５は下方幅広の略三角形状を成す構成としてある。これにより、前記電源コード３引き出し時において前記電源コード３が上方に移動する際の前記開口部５の角部（図３Ｘ参照）の引っ掛りを防止できるため、引き出し性を改善することができ使用性に優れた電気掃除機を提供することができる。
【００２４】
図７は更に他の開口部例を示し、この開口部５は上方幅広でかつ下方に向けて縦長穴を連結した形状としてある。これにより電源コード３を引き出して行くと、当該電源コード３は前記開口部５の縦長穴部５ｃを上昇しながら上部の幅広部５ｄを通るようになるため前記開口部５への電源コード３の接触は軽減され、引き出し力の軽減および電源コード３の信頼性を改善させることができる。そして更に、前記開口部５が上方幅広形状のため前記電源コード３の引き出し時には左右に振れさせることにより前記開口部５の局所磨耗による前記電源コード３へのダメージも軽減できる信頼性の高い電気掃除機を提供することができる。
【００２５】
図８は更に他の開口部例を示し、この開口部５は上方幅広の逆略三角形状を成す構成としてある。この構成により電源コード３巻き込み時において前記電源コード３が下方に移動する際の前記開口部５の角部（図７のＹ参照）の引っ掛りを防止できるため、巻き込み性を改善することができ使用性に優れた電気掃除機を提供することができる。
【００２６】
図９は更に他の開口部例を示し、この開口部５は上方幅広の穴５ｅと下方幅広の穴５ｆを縦長穴５ｇで連結した形状としてある。この構成により電源コード３を引き出して行くと前記開口部５の縦長穴５ｇを通り上方幅広部５ｆに移動するため、前記開口部５への電源コード３の接触は軽減される。また、前記開口部５は上方幅広形状のため前記電源コード３の引き出し時には左右に振れさせることが可能となって前記開口部５の局所磨耗による前記電源コード３へのダメージも軽減できる。
【００２７】
また、前記開口部５は下方幅広の形状も有しているため前記電源コード３の巻き込み時には左右に振れさせることにより局所巻き込みによる前記電源コード３の巻き残りも防止でき信頼性の高い電気掃除機を提供することができる。
【００２８】
以上のように本実施の形態においては、前記電源コード３の引き出し時、巻き込み時において、使用性、信頼性を向上させることのできる電気掃除機を提供することができる。
【００２９】
（実施の形態２）
本発明の第２の実施の形態について図１０〜図１７を用いて説明する。なお、上記実施の形態と同一部分については同一符号を付してその説明を省略する。
【００３０】
図１０〜図１３において、６は前記開口部５近傍に設けたリブであり、図１０に示すように、前記電源コード３巻き込み時に前記リブ６が電源コード３のプラグ部分に当たりプラグの入り込み（図１１参照）を防止する。これにより、使用性を改善できるものである。
【００３１】
図１４、図１５はリブ６の他の例を示し、このリブ６は開口部５近傍の上部に設けてある。これは前記のようにリブ６を開口部５の下部に設けると、図１３に示すように、前記リブ６に前記電源コード３が接触することにより、摩擦が増大し、巻き残りが生じることが懸念されるが、このように開口部５の上部に設けると、図１４、１５に示すように前記電源コード３の前記リブ６への干渉を防止することができるため、使用性の改善を図ることができる。
【００３２】
図１６は更に他のリブの例を示し、前記リブ６の先端部の幅を小さくしてある。これにより、前記電源コード３引き出し時にコード表面が前記リブ６に干渉しにくくなり、前記電源コード３にダメージを与えることを軽減させることができ、信頼性に優れた電気掃除機を提供することができる。
【００３３】
そしてこのリブ６は図１７に示すように、リブ６の略中央部にくぼみ形状を６ａ設けるのが好ましく、このようにすることによって、前記電源コード３引き出し時にコード表面が前記リブに干渉しにくくなって電源コード３にダメージを与えることを軽減させることができるうえに、前記電源コード３巻き込み時のプラグの安定性を増すことができるため、信頼性、使用性に優れた電気掃除機を提供することができる。
【産業上の利用可能性】
【００３４】
以上のように、本発明にかかる電気掃除機は、使用性、信頼性に優れた極めて有用なものである。
【図面の簡単な説明】
【００３５】
【図１】本発明の実施の形態１における電気掃除機の後面図
【図２】同電気掃除機の要部断面図
【図３】同電気掃除機の要部後面図
【図４】同電気掃除機の要部断面図
【図５】同電気掃除機の要部後面図
【図６】同電気掃除機の開口部の他の例を示す要部後面図
【図７】同電気掃除機の開口部の更に他の例を示す要部後面図
【図８】同電気掃除機の開口部の更に他の例を示す要部後面図
【図９】同電気掃除機の開口部の更に他の例を示す要部後面図
【図１０】本発明の実施の形態２における電気掃除機の要部断面図
【図１１】本発明の効果を説明するための電気掃除機の参考図
【図１２】同実施形態２の電気掃除機における要部後面図
【図１３】同電気掃除機の要部断面図
【図１４】同電気掃除機のリブの他の例を示す要部断面図
【図１５】同リブを示す後面図
【図１６】同電気掃除機のリブの他の例を示す側面図
【図１７】同電気掃除機のリブの他の例を示す側面図
【図１８】従来の電気掃除機の要部断面図
【符号の説明】
【００３６】
１  本体
２  ファンモーター
３  電源コード
４  コードリール
５  開口部
【図１】
2005304675.tif 000003
【図２】
2005304675.tif 000004
【図３】
2005304675.tif 000005
【図４】
2005304675.tif 000006
【図５】
2005304675.tif 000007
【図６】
2005304675.tif 000008
【図７】
2005304675.tif 000009
【図８】
2005304675.tif 000010
【図９】
2005304675.tif 000011
【図１０】
2005304675.tif 000012
【図１１】
2005304675.tif 000013
【図１２】
2005304675.tif 000014
【図１３】
2005304675.tif 000015
【図１４】
2005304675.tif 000016
【図１５】
2005304675.tif 000017
【図１６】
2005304675.tif 000018
【図１７】
2005304675.tif 000019
【図１８】
2005304675.tif 000020